(57)【特許請求の範囲】
【請求項１】
水栓に対する第１接続部と、給水管または給湯管に対する第２接続部とを両端に設けた一対の裏配管具を、少なくとも一方の接続部の先端部にて連結板の連結孔に嵌挿することにより相互に位置決め連結し、この状態で両裏配管具を設置壁面の所定位置に取り付けるようにした裏配管具の取付構造において、
前記連結板の連結孔の周側には複数の位置決め孔を形成するとともに、それらの位置決め孔には指定符号を付設し、前記連結孔に嵌挿される接続部の外周に突設されたフランジ部には前記位置決め孔に選択的に係合可能な位置決め部材を設けたことを特徴とする裏配管具の取付構造。
【請求項２】
前記位置決め部材は、フランジ部に形成された挿通孔を任意の位置決め孔に選択的に合致させた状態で、その挿通孔から位置決め孔を介して設置壁面に螺合されるボルトよりなることを特徴とする請求項１に記載の裏配管具の取付構造。
【請求項３】
前記位置決め部材は、フランジ部の背面に任意の位置決め孔と選択係合可能に突設された位置決めピンよりなることを特徴とする請求項１に記載の裏配管具の取付構造。
【請求項４】
前記指定符号は、連続番号よりなることを特徴とする請求項１〜請求項３のうちのいずれか一項に記載の裏配管具の取付構造。
【発明の詳細な説明】
【技術分野】
【０００１】
この発明は、浴室等の水栓に対して、給水管及び給湯管を接続するための裏配管具の取付構造に関するものである。
【背景技術】
【０００２】
従来、組み立て式浴室（いわゆるユニットバス）においては、防水パン、浴室、壁、天井等の部材を組み立てることにより構成され、側壁部の浴室側内面には湯水混合水栓等の水栓が設置されている。この湯水混合水栓は、側壁部の浴室と反対側の裏面に配置された一対の裏配管具を介して、床部の下方に配管された給水管及び給湯管に接続されている。すなわち、各裏配管具の両端には一対の接続部が設けられ、一方の接続部にクランク管等を介して水栓が接続されるとともに、他方の接続部に給水管または給湯管が接続されている。
【０００３】
このような組み立て式浴室において、側壁部の裏面に一対の裏配管具を取り付ける場合、組み立て式浴室の形式やその浴室の施工箇所等により、水栓の取付位置と給水管及び給湯管の配管位置との相対位置関係が変化して、裏配管具を垂直延長状態のみでなく、所定角度傾斜した状態に配置する必要があった。
【０００４】
一方、水栓を接続するための水栓固定金具の取付装置としては、例えば特許文献１に開示されるような構成のものが従来から提案されている。この従来構成においては、給水管及び給湯管に接続するための一対の水栓固定金具が連結板の取付孔に嵌挿されて相互に連結されるようになっている。各水栓固定金具にはフランジ部が形成され、そのフランジ部の前部には噛み合せ用爪が形成されている。連結板の各取付孔の周面には噛み合せ用爪に噛み合い可能なギザが形成されている。
【特許文献１】実開平１−６９８６０号公報
【発明の開示】
【発明が解決しようとする課題】
【０００５】
ところが、前記特許文献１には、一対の水栓固定金具を連結板により連結した状態で、パネル等の設置壁面に取り付ける構成については記載されているが、連結板に対する水栓固定金具の取付角度の調整構造については全く開示されていない。このため、前記のように水栓の取付位置と給水管及び給湯管の配管位置との相対位置関係の変化に対応して、裏配管具の配置状態を任意に設定変更することは困難であるという問題があった。
【０００６】
この発明は、このような従来の技術に存在する問題点に着目してなされたものである。その目的は、水栓の取付位置と給水管及び給湯管の配管位置との相対位置関係の変化に対応して、裏配管具の配置状態を容易に設定変更することができるとともに、裏配管具を予め指定した状態に正確に配置することができる裏配管具の取付構造を提供することにある。
【課題を解決するための手段】
【０００７】
上記の目的を達成するために、請求項１に記載の発明は、水栓に対する第１接続部と給水管または給湯管に対する第２接続部とを両端に設けた一対の裏配管具を、少なくとも一方の接続部の先端部にて連結板の連結孔に嵌挿することにより相互に位置決め連結し、この状態で両裏配管具を設置壁面の所定位置に取り付けるようにした裏配管具の取付構造において、前記連結板の連結孔の周側には複数の位置決め孔を形成するとともに、それらの位置決め孔には指定符号を付設し、前記連結孔に嵌挿される接続部の外周に突設されたフランジ部には前記位置決め孔に選択的に係合可能な位置決め部材を設けたことを特徴とするものである。
【０００８】
請求項２に記載の発明は、請求項１に記載の発明において、前記位置決め部材は、フランジ部に形成された挿通孔を任意の位置決め孔に選択的に合致させた状態で、その挿通孔から位置決め孔を介して設置壁面に螺合されるボルトよりなることを特徴とするものである。
【０００９】
請求項３に記載の発明は、請求項１に記載の発明において、前記位置決め部材は、フランジ部の背面に任意の位置決め孔と選択係合可能に突設された位置決めピンよりなることを特徴とするものである。
【００１０】
請求項４に記載の発明は、請求項１〜請求項３のうちのいずれか一項に記載の発明において、前記指定符号は、連続番号よりなることを特徴とするものである。
（作用）
請求項１に記載の発明においては、一対の裏配管具を接続部の先端部にて連結板の連結孔に嵌挿して相互に位置決め連結する際に、予め指定された裏配管具の配置状態に対応する指定符号に基づいて、接続部のフランジ部側の位置決め部材を連結孔の周側の位置決め孔に選択的に係合させる。これにより、水栓の取付位置と給水管及び給湯管の配管位置との相対位置関係が変化した場合でも、その相対位置関係の変化に応じて裏配管具の配置状態を容易に設定変更することができる。また、予め指定された裏配管具の配置状態と対応する指定符号に基づいて、施工現場において裏配管具を指定の状態に正確に配置することができる。
【００１１】
請求項２に記載の発明においては、フランジ部に形成された挿通孔を指定の位置決め孔に選択的に合致させた状態で、その挿通孔から位置決め孔を介して設置壁面に位置決め部材としてのボルトを螺合させることにより、裏配管具を指定の状態に容易かつ正確に配置することができる。
【００１２】
請求項３に記載の発明においては、フランジ部の背面に突設された位置決め部材としての位置決めピンを指定の位置決め孔に選択的に係合させることにより、裏配管具を指定の状態に容易かつ正確に配置することができる。
【００１３】
請求項４に記載の発明においては、指定符号が連続番号よりなるため、裏配管具の配置状態を連続番号により簡単かつ明確に指定することができる。
【発明の効果】
【００１４】
以上のように、この発明によれば、水栓の取付位置と給水管及び給湯管の配管位置との相対位置関係の変化に対応して、裏配管具の配置状態を容易に設定変更することができる。また、裏配管具の配置状態を予め指定しておけば、施工現場において裏配管具を指定した状態に正確に配置することができる。
【発明を実施するための最良の形態】
【００１５】
（第１実施形態）
以下に、この発明の第１実施形態を、図１〜図６に基づいて説明する。
図１及び図２に示すように、この実施形態においては、一対の裏配管具１１が上下２枚の連結板１２により位置決め連結された状態で、設置壁面としての組み立て式浴室１３における洗い場側の側壁部１４の裏側に設置されている。両裏配管具１１の上端には、浴室１３の側壁部１４の内側に設けられた湯水混合水栓１５がクランク管１６を介して接続されている。各裏配管具１１の下端には、浴室１３における洗い場側の床部１７の下側に設置された給水管１８及び給湯管１９が接続されている。
【００１６】
図２及び図３に示すように、前記各裏配管具１１は、浴室１３の側壁部１４に対して床部１７よりも上側の位置で固定される第１接続部としての上側接続金具２０と、同側壁部１４に対して床部１７よりも下側の位置で固定される第２接続部としての下側接続金具２１と、両接続金具２０，２１間を接続する連結管２２（図３に図示）とから構成されている。連結管２２は可撓性を有する合成樹脂により形成され、その連結管２２の外周には保温材２３が被覆装着されている。
【００１７】
図３及び図４に示すように、前記各裏配管具１１の上側接続金具２０は、側壁部１４に設けられた貫通孔１４ａから浴室１３の内側に挿通される水栓接続筒部２４と、この水栓接続筒部２４の外端側から下方に延出された連結管接続筒部２５とを備え、両接続筒部２４，２５間にはフランジ部２６が形成されている。水栓接続筒部２４の外周面には雄ネジ部２４ａが形成されるとともに、内周面には雌ネジ部２４ｂが形成されている。
【００１８】
そして、前記上側接続金具２０の水栓接続筒部２４が側壁部１４の貫通孔１４ａに挿通された状態で、水栓接続筒部２４の雄ネジ部２４ａには締め付けリング２７がパッキン２８を介在させた状態で螺合されている。これにより、フランジ部２６と締め付けリング２７との間で側壁部１４が挟持されて、上側接続金具２０の水栓接続筒部２４が側壁部１４に対して固定されている。また、水栓接続筒部２４の雌ネジ部２４ｂには前記クランク管１６の雄ネジ部１６ａが螺合されている。
【００１９】
図２及び図３に示すように、前記各裏配管具１１の下側接続金具２１は、側壁部１４の貫通孔１４ｂから床部１７の下側空間に挿通される給水管接続筒部２９と、この給水管接続筒部２９の外端側から上方に延出された連結管接続筒部３０とを備え、両接続筒部２９，３０間にはフランジ部３１が形成されている。給水管接続筒部２９の外周面には雄ネジ部２９ａが形成されている。
【００２０】
そして、下側接続金具２１の給水管接続筒部２９が側壁部１４の貫通孔１４ｂに挿通された状態で、給水管接続筒部２９の雄ネジ部２９ａには締め付けナット３２がパッキン３３を介在させた状態で螺合されている。これにより、フランジ部３１と締め付けナット３２との間で側壁部１４が挟持されて、下側接続金具２１の給水管接続筒部２９が側壁部１４に対して固定されている。また、この状態で給水管１８または給湯管１９の先端に取り付けられた接続ナット３４が給水管接続筒部２９の雄ネジ部２９ａに螺合されることにより、給水管１８または給湯管１９が給水管接続筒部２９の内端に接続されるようになっている。
【００２１】
次に、前記一対の裏配管具１１を連結板１２により位置決め連結して取り付けるための取付構造について説明する。
図２〜図４に示すように、上下２枚の連結板１２には一対の連結孔３５が形成されている。そして、これらの連結孔３５に対して両裏配管具１１における上側接続金具２０の水栓接続筒部２４及び下側接続金具２１の給水管接続筒部２９をそれぞれ嵌挿することにより、一対の両裏配管具１１が上下両端部において相互に位置決め連結されるようになっている。
【００２２】
図４に示すように、前記各連結板１２における両連結孔３５の周側には、複数の位置決め孔３６が同一円周上で所定間隔おきに形成されている。各位置決め孔３６には「１」〜「１２」の連続番号よりなる指定符号３７が付設されている。連結板１２上の位置決め孔３６に合致可能に対応するように、両裏配管具１１の上側接続金具２０及び下側接続金具２１上のフランジ部２６，３１の外周には、一対の凹状の挿通孔３８が形成されている。
【００２３】
そして、図２、図５及び図６に示すように、予め指定された裏配管具１１の配置状態に対応する指定符号３７に基づいて、これらの挿通孔３８を任意の位置決め孔３６に選択的に合致させた状態で、両挿通孔３８から位置決め孔３６を介して設置壁面として側壁部１４に位置決め部材としてのボルト３９が螺合されている。これにより、図５及び図６に示すように、一対の裏配管具１１が側壁部１４の裏側に対して、垂直延長状態あるいは所定角度の傾斜状態等の任意の配置状態に取り付けられるようになっている。
【００２４】
次に、前記のように構成された裏配管具の取付方法について説明する。
さて、一対の裏配管具１１を浴室１３の側壁部１４の裏面側に取り付ける場合には、それらの裏配管具１１の上側接続金具２０の水栓接続筒部２４を１枚の連結板１２の連結孔３５に嵌挿する。それとともに、両裏配管具１１の下側接続金具２１の給水管接続筒部２９を他の１枚の連結板１２の連結孔３５に嵌挿する。これにより、一対の両裏配管具１１が上下両端部において相互に位置決め連結される。
【００２５】
この場合、組み立て式浴室１３の形式や種類等に基づいて、裏配管具１１の配置状態が指定符号３７として予め指定されているため、その指定符号３７に従って両接続金具２０，２１のフランジ部２６，３１上の各挿通孔３８を指定の位置決め孔３６に合致させる。例えば、指定符号３７が「４」，「１０」に指定されている場合には、図５に示すように、各挿通孔３８を指定符号３７が「４」，「１０」の位置決め孔３６に合致させる。この状態で、各挿通孔３８から位置決め孔３６を介して側壁部１４に位置決め部材としてのボルト３９を螺合させると、両裏配管具１１が指定された垂直の延長状態に配置される。
【００２６】
これに対して、例えば、指定符号３７が「３」，「９」に指定されている場合には、図６に示すように、各挿通孔３８を指定符号３７が「３」，「９」の位置決め孔３６に合致させる。この状態で、各挿通孔３８から位置決め孔３６を介して側壁部１４にボルト３９を螺合させると、両裏配管具１１が指定された所定の傾斜状態に配置される。なお、２つの裏配管具１１について、指定符号３７が別々に指定されている場合には、両裏配管具１１が異なった傾斜状態等に配置される。
【００２７】
従って、組み立て式浴室１３の形式等に応じて両裏配管具１１の配置状態を容易に設定変更することができる。また、複数の位置決め孔３６に連続番号より指定符号３７が付設されているため、この指定符号３７の指示に基づいて、裏配管具１１を所定の配置状態に正確に取り付けることができる。
【００２８】
（第２実施形態）
次に、この発明の第２実施形態を、前記第１実施形態と異なる部分を中心に説明する。
さて、この第２実施形態においては、図７に示すように、複数の位置決め孔３６に対して「１」〜「６」の連続番号よりなる指定符号３７が対称状態で付設されている。また、フランジ部２６上の挿通孔３８が貫通孔状に形成されている。
【００２９】
従って、この第２実施形態においても、前記第１実施形態と同様の効果を得ることができる。また、この実施形態では、指定符号３７が対称状態で付設されているため、裏配管具１１の配置状態を複数の符号によることなく、単独の符号で指定することができる。
【００３０】
（第３実施形態）
次に、この発明の第３実施形態を、前記第１実施形態と異なる部分を中心に説明する。
さて、この第３実施形態においては、図８及び図９に示すように、フランジ部２６の背面に位置決め部材としての一対の位置決めピン４１が突設され、指定の位置決め孔３６に選択的に係合されるようになっている。そして、予め指定された裏配管具１１の配置状態と対応する指定符号３７に基づいて、位置決めピン４１を指定の位置決め孔３６に係合させることにより、裏配管具１１が所定の配置状態に取り付けられるようになっている。
【００３１】
従って、この第３実施形態においても、前記第１実施形態と同様の効果を得ることができる。また、この実施形態においては、位置決めピン４１を指定の位置決め孔３６に係合させるという簡単な作業により、裏配管具１１を所定の配置状態に容易かつ正確に位置決めすることができる。
【００３２】
（変更例）
なお、この実施形態は、次のように変更して具体化することも可能である。
・  前記各実施形態において、一対の裏配管具１１を上側接続金具２０または下側接続金具２１のいずれか一方の部分で、連結板１２により位置決め連結するように構成すること。
【００３３】
・  前記各実施形態において、指定符号としてアルファベット等の符号を用いること。
・  前記各実施形態において、裏配管具１１を、組み立て式浴室１３の浴槽側の側壁部１４に設けられた湯水混合水栓１５と給水管１８及び給湯管１９との間に配置すること。
【図面の簡単な説明】
【００３４】
【図１】第１実施形態の裏配管具の取付構造を組み立て式浴室に実施した状態を示す斜視図。
【図２】図１の裏配管具の取付構造を示す斜視図。
【図３】同じく裏配管具の取付構造の要部拡大断面図。
【図４】同じく裏配管具の取付構造を分解して示す要部斜視図。
【図５】図４の裏配管具の取付構造の組み付け状態を示す要部正面図。
【図６】裏配管具の取付構造の異なった組み付け状態を示す要部正面図。
【図７】第２実施形態の裏配管具の取付構造を示す要部分解正面図。
【図８】第３実施形態の裏配管具の取付構造を示す要部分解正面図。
【図９】図８の裏配管具の取付構造の組み付け状態を示す要部断面図。
【符号の説明】
【００３５】
１１…裏配管具、１２…連結板、１３…組み立て式浴室、１４…設置壁面としての側壁部、１５…湯水混合水栓、１８…給水管、１９…給湯管、２０…第１接続部としての上側接続金具、２１…第２接続部としての下側接続金具、２２…連結管、２６，３１…フランジ部、３５…連結孔、３６…位置決め孔、３７…指定符号、３８…挿通孔、３９…位置決め部材としてのボルト、４１…位置決め部材としての位置決めピン。
【図１】
0004664758.tif 000002
【図２】
0004664758.tif 000003
【図３】
0004664758.tif 000004
【図４】
0004664758.tif 000005
【図５】
0004664758.tif 000006
【図６】
0004664758.tif 000007
【図７】
0004664758.tif 000008
【図８】
0004664758.tif 000009
【図９】
0004664758.tif 000010